(57)【特許請求の範囲】
【請求項１】
透液性内面シートと、不透液性外面シートと、それらシートの間に介在する吸液性コアとから構成され、互いに重なり合う縦長の第１および第２側壁と、前記第１および第２側壁の間に形成されたペニス収容部と、前記第１側壁の横方向へ延びる上端縁近傍に形成されたペニス挿入部とを有して男性用パンツの内側に着脱可能に装着される男性用尿とりパッドにおいて、
前記挿入部から前記収容部に収容されたペニスを前記パッドの外側へ出すための開口部が、前記第１および第２側壁の上端縁と前記第１および第２側壁の縦方向へ延びる一側縁上部とにかけての範囲に形成され、前記男性用パンツの前開き打合わせ部の間に挿入する翼部が、前記第１側壁の前記一側縁上部と前記第２側壁の前記一側縁上部とのうちの少なくとも一方に連接されて横方向外方へ延び、前記前開き打合わせ部に対する止着手段が、前記翼部の外面に形成され、前記パッドが前記パンツに止着された状態で、前記ペニスを前記パッドの前記開口部からその外側に出し、さらに、前記パンツの前開きから前記パンツの外側に露出させて排尿することを特徴とする前記パッド。
【請求項２】
前記男性用パンツの股間部に対する止着手段が、前記第２側壁の外面に形成されている請求項１記載のパッド。
【請求項３】
前記翼部と前記第２側壁とに形成された前記止着手段が、それらの外面に塗布された粘着剤であり、前記粘着剤が、剥離紙に被覆保護されている請求項２に記載のパッド。
【請求項４】
前記ペニス挿入部が、前記第１側壁の上端縁近傍から下方へ向かって前記縦方向へ延びるスリットである請求項１ないし請求項３いずれかに記載のパッド。
【発明の詳細な説明】
【０００１】
【発明の属する技術分野】
本発明は、男性用尿とりパッドに関する。
【０００２】
【従来の技術】
特開平９−３８１２７号公報は、透液性内面シートと、不透液性外面シートと、それらシートの間に介在する吸液性コアとから構成され、上端縁から下端縁へ向かって縦方向へ延びるペニス挿入用の凹欠部を有する男性用尿とりパッドを開示している。このパッドをペニスに装着する手順は、以下のとおりである。
【０００３】
パッドの使用者は、ペニスを凹欠部からパッド内部に納めた後、凹欠部の両側に位置して縦方向へ延びる左右上部をペニスに巻き付けるように斜めに折曲して重ね合わせ、粘着テープで左右上部をペニスの周囲に固定する。次に、横方向へ延びる折曲部でパッドの下部を左右上部の側へ折曲するとともに、その折曲によって生じた左右隅部を左右上部の上となるように折曲してそれら隅部を重ね合わせる。このパッドでは、それらの折曲状態を維持するため、左隅部に形成された粘着域に右隅部を固着する。このパッドは、左右上部をペニスに巻き付けることによってそれをペニスに固定しているので、パッドがペニスから簡単に外れてしまうことがないという効果を有する。
【０００４】
【発明が解決しようとする課題】
同号公報に開示のパッドでは、それを装着した使用者がパッドの内部ではなく便器に排尿しようとする場合、パッドをペニスから取り外さなければならず、さらに、排尿後に再びパッドをペニスに取り付けなければならないので、手間を要する。
【０００５】
本発明の課題は、パッドをペニスから取り外すことなく、着用者が便器に排尿することができる男性用尿とりパッドを提供することにある。
【０００６】
【課題を解決するための手段】
前記課題を解決するための本発明の前提は、透液性内面シートと、不透液性外面シートと、それらシートの間に介在する吸液性コアとから構成され、互いに重なり合う縦長の第１および第２側壁と、前記第１および第２側壁の間に形成されたペニス収容部と、前記第１側壁の横方向へ延びる上端縁近傍に形成されたペニス挿入部とを有して男性用パンツの内側に着脱可能に装着される男性用尿とりパッドである。
【０００７】
かかる前提における本発明の特徴は、前記挿入部から前記収容部に収容されたペニスを前記パッドの外側へ出すための開口部が、前記第１および第２側壁の上端縁と前記第１および第２側壁の縦方向へ延びる一側縁上部とにかけての範囲に形成され、前記男性用パンツの前開き打合わせ部の間に挿入する翼部が、前記第１側壁の前記一側縁上部と前記第２側壁の前記一側縁上部とのうちの少なくとも一方に連接されて横方向外方へ延び、前記前開き打合わせ部に対する止着手段が、前記翼部の外面に形成され、前記パッドが前記パンツに止着された状態で、前記ペニスを前記パッドの前記開口部からその外側に出し、さらに、前記パンツの前開きから前記パンツの外側に露出させて排尿することにある。
【０００８】
本発明の実施の態様の一例としては、前記男性用パンツの股間部に対する止着手段が、前記第２側壁の外面に形成されている。
【０００９】
本発明の実施の態様の他の一例としては、前記翼部と前記第２側壁とに形成された前記止着手段が、それらの外面に塗布された粘着剤であり、前記粘着剤が、剥離紙に被覆保護されている。
【００１０】
本発明の実施の態様の他の一例としては、前記ペニス挿入部が、前記第１側壁の上端縁近傍から下方へ向かって前記縦方向へ延びるスリットである。
【００１１】
【発明の実施の形態】
添付の図面を参照し、本発明にかかる男性用尿とりパッドの詳細を説明すると、以下のとおりである。
【００１２】
図１，２は、第１および第２翼部１４，１５を左右へ開いた状態で示すパッド１Ａの部分破断斜視図と、開口部９の側から示すパッド１Ａの斜視図とであり、図３，４は、図２のＡ−Ａ線断面図と、パッド１Ａに成形する以前の状態で示す展開平面図とである。図１，２および図４では、横方向を矢印Ｘで示し、縦方向を矢印Ｙで示す。図４では、右側壁５の側縁上部１２ａと左側壁６の側縁上部１２ｂとを二点鎖線で示す。パッド１Ａは、男性用パンツ２３（図５参照）の内側に装着して使用するものである。
【００１３】
パッド１Ａは、透液性内面シート２と、不透液性外面シート３と、それらシート２，３の間に介在す吸液性コア４とから構成されている。パッド１Ａは、互いに重なり合う右側壁５および左側壁６と、それら側壁５，６の間に形成されたペニス収容部７と、右側壁５に形成されたペニス挿入部８と、挿入部８から収容部７に収容されたペニスをパッド１Ａの外側へ出すための開口部９とを有する。パッド１Ａでは、外面シート３が内面シート２の外側に重なり、コア４が内面シート２と外面シート３とに接合されている。
【００１４】
右側壁５と左側壁６とは、縦方向へ長い略矩形のもので、互いに並行して横方向へ延びる上下端縁１０，１１と、互いに並行して縦方向へ延びる両側縁１２，１３とを有する。それら側壁５，６は、下端縁１１と側縁下部１２ｃとにおいて固着されている。右側壁５の側縁上部１２ａには、横方向外方へ延びる第１翼部１４が一連につながっている。左側壁６の側縁上部１２ｂには、横方向外方へ延びる第２翼部１５が一連につながっている。
【００１５】
第１および第２翼部１４，１５は、右側壁５および左側壁６の側縁上部１２ａ，１２ｂから横方向外方へ延びる内面シート２と外面シート３とから形成されている。それら翼部１４，１５では、内面シート２と外面シート３とが互いに重なり合った状態で固着されている。
【００１６】
左側壁６の外面には、粘着剤１６が塗布されている。第１翼部１４の外面と第２翼部１５の外面とには、粘着剤１８，１９が塗布されている。それら粘着剤１６，１８，１９は、剥離紙１７，２０，２１に被覆保護されている。
【００１７】
挿入部８は、内外面シート２，３を切り裂くことにより形成された所与寸法のスリット２２である。挿入部８は、右側壁５の上端縁１０近傍から下端縁１１へ向かって縦方向へ延びている。
【００１８】
開口部９は、右側壁５および左側壁６の上端縁１０と上端縁１０から続くそれら側壁５，６の側縁上部１２ａ，１２ｂとに形成されている。開口部９では、それら側壁５，６の上端縁１０とそれら側壁５，６の側縁上部１２ａ，１２ｂとが互いに非固着の状態にある。開口部９は、第１および第２翼部１４，１５を互いに離間させる方向へ開くことによって口を開ける。
【００１９】
図４の展開平面図からパッド１Ａに成形するには、内面シート２が内側になるように、右側壁５および左側壁６の側縁１３となる縦中心線Ｚで折曲し、それら側壁５，６の下端縁１１と側縁下部１２ｃとを固着する。
【００２０】
図５は、図１のパッド１Ａが装着された男性用パンツ２３の斜視図であり、パンツ２３の前開き２４からパンツ２３の外側に露出させたペニス２８を二点鎖線で示す。このパッド１Ａを男性用パンツ２３に装着する手順は、以下のとおりである。
【００２１】
パッド１Ａの使用者は、剥離紙１７を左側壁６から剥がして粘着剤１６を露出させ、粘着剤１６を介して左側壁６の外面をパンツ２３の股間部２５に貼付する。次に、剥離紙２０を第１翼部１４から剥がし、第１翼部１４をパンツ２３の前あき打合わせ部２６，２７の間に挿入するとともに、粘着剤１８を介して第１翼部１４の外面をパンツ２３の前あき打合わせ部２６に止着する。さらに、剥離紙２１を第２翼部１５から剥がし、第２翼部１５をパンツ２３の前あき打合わせ部２６，２７の間に挿入するとともに、粘着剤１９を介して第２翼部１５の外面をパンツ２３の前あき打合わせ部２７に止着する。
【００２２】
パッド１Ａが装着されたパンツ２３では、挿入部８と開口部９とがパンツ２３の前開き２４に対向する。パッド１Ａをパンツ２３に装着した使用者は、パンツ２３を着用するとともに、ペニス２８を挿入部８に通した後、それを収容部７に納める。
【００２３】
使用者は、ペニス２８を開口部９からパッド１Ａがパンツ２３に止着された状態でパッド１Ａの外側に出し、さらに、それをパンツ２３の前開き２４からパンツ２３の外側に露出させることにより便器に排尿することができる。排尿後は、ペニス２８をパンツ２３の前開き２４からパンツ２３内に納めるとともに、それをパッド１Ａの収容部７に納める。
【００２４】
このパッド１Ａでは、使用者が便器に排尿する場合、パッド１Ａをペニス２８から取り外す必要はなく、パッド１Ａを取り外すための手間を省くことができる。また、排尿後では、ペニス２８をパッド１Ａの収容部７に納めるだけでよいので、ペニス２８に再びパッド１Ａを取り付ける必要はなく、パッド１Ａを取り付けるための手間を省くことができる。
【００２５】
図６，７は、第１および第２翼部１４，１５を左右へ開いた状態で示す他の実施の形態のパッド１Ｂの部分破断斜視図と、開口部９の側から示すパッド１Ｂの斜視図とであり、図８は、図６のパッド１Ｂが装着された男性用パンツ２３の斜視図である。このパッド１Ｂが図１のそれと異なる点は、以下のとおりである。
【００２６】
パッド１Ｂでは、所与寸法のスリット２２からなるペニス挿入部８が左側壁６に形成され、剥離紙１７に被覆保護された粘着剤１６が右側壁５の外面に塗布されている。
【００２７】
このパッド１Ｂを男性用パンツ２３に装着する手順は、以下のとおりである。パッド１Ｂの使用者は、剥離紙１７を右側壁５から剥がして粘着剤１６を露出させ、粘着剤１６を介して右側壁５の外面をパンツ２３の股間部２５に貼付する。次に、右側壁５と第１翼部１４とが互いに当接するように、第１および第２翼部１４，１５を右側壁５および左側壁６の側縁上部１２ａ，１２ｂにおいて折り曲げる。
【００２８】
使用者は、剥離紙２０を第１翼部１４から剥がし、第１翼部１４をパンツ２３の前あき打合わせ部２６，２７の間に挿入するとともに、粘着剤１８を介して第１翼部１４の外面をパンツ２３の前あき打合わせ部２６に止着する。さらに、剥離紙２１を第２翼部１５から剥がし、第２翼部１５をパンツ２３の前あき打合わせ部２６，２７の間に挿入するとともに、粘着剤１９を介して第２翼部１５の外面をパンツ２３の前あき打合わせ部２７に止着する。パッド１Ａをパンツ２３に装着した使用者は、パンツ２３を着用するとともに、ペニス２８を挿入部８に通した後、それを収容部７に納める。
【００２９】
使用者がペニス２８にパッド１Ｂを装着した状態で便器に排尿する手順は、図５のそれと同一であるので、その説明は省略する。このパッド１Ｂでは、それをパンツ２３に装着するときに、第１および第２翼部１４，１５を側縁上部１２ａ，１２ｂにおいて折り曲げるので、翼部１４，１５から側縁１３までのパッド１Ｂの幅寸法を図１のパッド１Ａのそれよりも小さくすることができ、パッド１Ｂの右側壁５および左側壁６の幅寸法を図１のパッド１Ａのそれよりも大きくすることができる。
【００３０】
それら図示例のパッド１Ａ，１Ｂでは、右側壁５および左側壁６の側縁上部１２ａ，１２ｂに第１および第２翼部１４，１５が連接されているが、翼部が右側壁５の側縁上部１２ａと左側壁６の側縁上部１２ｂとのいずれか一方に連接されていればよい。パッド１Ａ，１Ｂでは、第１および第２翼部１４，１５がそれら側壁５，６に一連につながっているが、別部材からなる翼部をそれら側壁５，６の側縁上部１２ａ，１２ｂに取り付けることもできる。また、パッド１Ａ，１Ｂでは、側壁５，６の外面に塗布された粘着剤１６を省くこともできる。
【００３１】
それらパッド１Ａ，１Ｂでは、挿入部８を形成するスリット２２の両側に帯状の伸縮性弾性部材を縦方向へ伸長状態で取り付けることもできる。スリット２２の両側に弾性部材を取り付けたパッド１Ａ，１Ｂでは、弾性部材の弾性を利用してペニス２８を締め付けることができるので、パッド１Ａ，１Ｂがペニス２８から外れてしまうことを防ぐことができる。
【００３２】
それらパッド１Ａ，１Ｂでは、コア４が右側壁５および左側壁６の上端縁１０近傍を除くそれら側壁５，６の残余領域に配置されているが、コア４がそれら側壁５，６の略全域と第１および第２翼部１４，１５とに配置されていてもよい。
【００３３】
内面シート２には、親水性繊維不織布、または、微細な多数の開孔を有するプラスチックフィルムを使用することができる。外面シート３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。
【００３４】
外面シート３には、高い耐水性を有するメルトブローン法による繊維不織布を、高い強度を有しかつ柔軟性に富んだスパンボンド法による繊維不織布で挟んだ複合不織布を使用することもできる。
【００３５】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００３６】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、ポリマー粒子の脱落や型崩れを防止するためにその全体がティッシュペーパーに被覆接合されていることが好ましい。ポリマー粒子としては、デンプン系、セルロース系、合成ポリマー系のものを使用することができる。
【００３７】
表裏面シート２，３の固着やコア４の接合には、ホットメルト型接着剤、または、ヒートシールや超音波接合等の熱による溶着手段を使用することができる。
【００３８】
【発明の効果】
本発明にかかる男性用尿とりパッドによれば、その使用者がペニスをパッドの開口部からパッドがパンツに止着された状態でパッドの外側に出し、さらに、それをパンツの前開きからパンツの外側に露出させることにより便器に排尿することができるので、便器での排尿時にパッドをペニスから取り外したり、排尿後に再びパッドをペニスに取り付ける必要はなく、それらの手間を省くことができる。
【図面の簡単な説明】
【図１】  第１および第２翼部を左右へ開いた状態で示すパッドの部分破断斜視図。
【図２】  開口部の側から示す図１のパッドの斜視図。
【図３】  図１のＡ−Ａ線断面図。
【図４】  パッドに成形する以前の状態で示す展開平面図。
【図５】  図１のパッドが装着された男性用パンツの斜視図。
【図６】  他の実施の形態のパッドの部分破断斜視図。
【図７】  開口部の側から示す図６のパッドの斜視図。
【図８】  図６のパッドが装着された男性用パンツの斜視図。
【符号の説明】
１Ａ，１Ｂ        男性用尿とりパッド
２                透液性表面シート
３                不透液性裏面シート
４                吸液性コア
５                右側壁
６                左側壁
７                ペニス収容部
８                ペニス挿入部
９                開口部
１０                上端縁
１２ａ，１２ｂ      一側縁上部
１４                第１翼部
１５                第２翼部
１６，１８，１９    粘着剤
１７，２０，２１    剥離紙
２２                スリット
２３                男性用パンツ
２６，２７          前開き打合せ部
２８                ペニス
【図１】
0003744809.tif 000002
【図２】
0003744809.tif 000003
【図３】
0003744809.tif 000004
【図４】
0003744809.tif 000005
【図５】
0003744809.tif 000006
【図６】
0003744809.tif 000007
【図７】
0003744809.tif 000008
【図８】
0003744809.tif 000009